(57)【要約】  本発明は、各々が分離した担持部４．１に固定される、ばねを取り付けた二つの隣接背支持部（３．１）から構成される腰掛または椅子の背もたれに関する。背もたれは、各担持部（４．１）が事実上Ｌ字形のキャリア（４）の第一脚部を形成し、各キャリア（４）の第二脚部（４．２）は腰掛または椅子の座席の下位で、弾力に抗して水平軸を中心に枢動可能に固定されていることを特徴とする。
2009540970.tif 000002
【特許請求の範囲】
【請求項１】
横方向に並置され、かつ弾性的に固定される、各々が分離した担持部（４．１）に連結された二つの背支持部（３．１）を有し、各担持部（４．１）は実質的Ｌ字形の支持部材（４）の第一脚部を形成し、第二脚部（４．２）は腰掛または椅子の座席の下位にばね力に抗して水平軸（５または３９）を中心に枢動可能に取り付けられる腰掛または椅子の背もたれであって、前記支持部材（４）は、休止位置において支持部材（４）に対して実質的垂直に配向されたガイドバー（４３）により連結され、前記ガイドバーは座席下部構造体（４０）内または上に支持され、かつ一方の背支持部（３．１）が前方または後方に動くと他方の背支持部（３．１）が夫々逆の方向に動くように支持部材（４）に連結されていることを特徴とする腰掛または椅子の背もたれ。
【請求項２】
ガイドバー（４３）の端部は、弾性変形可能なスリーブ（４４．１）に支持される玉継ぎ手（４４）により支持部材（４）に枢着されていることを特徴とする請求項１の背もたれ。
【請求項３】
ガイドバー（４３）は、座席または座席下部構造体（４０）上で枢動可能に、支持部材（４）上に連結点間で支持されることを特徴とする請求項１または２の背もたれ。
【請求項４】
ガイドバー（４３）は玉継ぎ手（４５）により支持されていることを特徴とする請求項３の背もたれ。
【請求項５】
ガイドバー（４３）は、座席下部構造体（４０）内または上に設けられる弧状ガイド溝（４４、５４）内に案内され、弧状ガイド溝の仮想軸は支持部材（４）のピボット軸（３９）と平行に延び、かつ椅子の前端に対して上部から後部そして底部に向けて湾曲していることを特徴とする請求項２から４のいずれか１項に記載の背もたれ。
【請求項６】
ガイドバー（４３）は、Ｌ字形の支持部材（４）の第二脚部（４．２）に枢着されていることを特徴とする請求項２から５のいずれか１項に記載の背もたれ。
【請求項７】
第二脚部（４．２）は各々が上方へ向う突起（４７）を有し、前記突起（４７）は、Ｌ字形の支持部材（４）の休止位置において均一圧力を加えるばね（４６）によって支持されていることを特徴とする請求項６の背もたれ。
【請求項８】
ばね（４６）は、支持部材（４）のピボット軸（３９）に対して垂直な長軸を有するコイルばねであり、かつ座席下部構造体（４０）内に配置されていることを特徴とする請求項７の背もたれ。
【請求項９】
突起（４７）に圧力板（４８）が取り付けられ、前記圧力板はばね（４６）上にプランジャー（４９）により支持されていることを特徴とする請求項８の背もたれ。
【請求項１０】
ばね（４６）の予備張力が可変であることを特徴とする請求項７から９のいずれか１項に記載の背もたれ。
【請求項１１】
ばね（４６）は圧力板（４８）と反対側の端部において、ばねの長手方向に可動のブロック（５０）に当接し、前記ブロックは外部から回転可能なカムシャフト（５１）のカム（５２）上に支持されることを特徴とする請求項１０の背もたれ。
【請求項１２】
ガイドバー（４３）は座席下部構造体（４０）に取り付けられ、前記座席下部構造体（４０）は支持部材（４）の枢動時に座枠（４８）に対して前後に移動可能であるようにばね（６０）により支持されていることを特徴とする請求項２から１１のいずれか１項に記載の背もたれ。
【請求項１３】
背もたれ（３．１）は弾性的に担持部（４．１）に取り付けられていることを特徴とする請求項１から１２のいずれか１項に記載の背もたれ。
【請求項１４】
背もたれ（３．１）は、実質的垂直方向の軸を中心として枢動可能であるように、担持部（４．１）に取り付けられていることを特徴とする請求項１から１３のいずれか１項に記載の背もたれ。
【請求項１５】
背支持部（３．１）は、担持部（４．１）に沿って異なる高さ位置に位置決め可能であることを特徴とする請求項１から１４のいずれか１項に記載の背もたれ。
【請求項１６】
背支持部（３．１）は、担持部（４．１）に沿ってスライド可能な固定部材（７）に取り付けられていることを特徴とする請求項１から１５のいずれか１項に記載の背もたれ。
【請求項１７】
二つの背支持部（３．１）は弾性変形可能な横方向ステー（９）により相互に連結され、前記ステーの強度は、二つの背支持部（３．１）が個別の支持部として機能を保持し、かつ一方の背支持部が他方の背支持部に対して限定的範囲で可動性を維持するように選定されていることを特徴とする請求項１から１６のいずれか１項に記載の背もたれ。
【請求項１８】
各々の固定部材（７）上に本体（１０）がばね力に抗して水平軸（１２）を中心に枢動可能に取り付けられ、前記本体はばね力に抗して垂直軸（１４）を中心に枢動可能に背支持部（３．１）に取り付けられていることを特徴とする請求項１７の背もたれ。
【請求項１９】
請求項１から１８のいずれか１項に記載の背もたれを備えたことを特徴とする椅子または腰掛。
【請求項２０】
座席が支柱（１）上に支持ユニット（２）により取り付けられる椅子または腰掛等の形状を呈し、相互に横方向に並置され、かつ弾性的に固定される、各々が実質的垂直に延在する担持部（４．１）に連結される二つの背支持部（３．１）を有する背もたれ（３）を有する座席家具であって、各担持部（４．１）は実質的Ｌ字形の支持部材（４）の第一脚部を形成し、第二脚部（４．２）は座席の下位にばね力に抗して水平軸を中心に枢動可能に取り付けられ、各支持部材（４）は相関する分離のばね部材（６、２２）を有することを特徴とする座席家具。
【請求項２１】
支持部材（４）に作用するばね部材（６、２２）の力は一緒に可変であることを特徴とする請求項２０の座席家具。
【請求項２２】
水平軸を中心に枢着可能である各支持部材（４）の第二脚部（４．２）は、ニアーム・レバーとして構成され、ばね力がニアーム・レバーの自由端（４．３）上に作用することを特徴とする請求項２１の座席家具。
【請求項２３】
ばね力は実質的に垂直方向に配向されたばね部材（６）により生じることを特徴とする請求項２２の座席家具。
【請求項２４】
第二脚部（４．２）はニアーム・レバーの自由端において上方へ向うまたは下方向う湾曲部（４．４）を有し、実質的水平方向に配向されたばね部材（２２）が湾曲部上に作用することを特徴とする請求項２２の座席家具。
【請求項２５】
湾曲部（４．４）は上方に向い、ばね部材は引張ばね（２２）であり、両支持部材の引張ばね（２２）の端部は、支持部材に作用する力を変化させるために異なる間隔で水平軸に対して固定可能である調節部材（２３）に取り付けられていることを特徴とする請求項２４の座席家具。
【請求項２６】
各背支持部（３．１）は、担持部（４．１）に高さ調節可能に取り付けられていることを特徴とする請求項２０から２５のいずれか１項に記載の座席家具。
【請求項２７】
各背支持部（３．１）は、担持部（４．１）に弾性的に取り付けられていることを特徴とする請求項２０から２６のいずれか１項に記載の座席家具。
【請求項２８】
各背もたれ（３）は、担持部（４．１）に対して水平軸を中心に枢動可能であることを特徴とする請求項２７の座席家具。
【請求項２９】
各背支持部（３．１）は、担持部（４．１）に対して水平線を中心に枢動可能であることを特徴とする請求項２７または２８の座席家具。
【請求項３０】
各背支持部（３．１）は、対応する担持部（４．１）に沿って異なる高さ位置で固定可能な固定部材（７）に取り付けられていることを特徴とする請求項２６から２９のいずれか１項に記載の座席家具。
【請求項３１】
各背支持部（３．１）は、少なくとも弾性変形可能なばね部材の中間位置で固定部材（７）に取り付けられていることを特徴とする請求項３０の座席家具。
【請求項３２】
各固定部材（７）上に本体（１０）がばね力に抗して水平軸（１２）を中心に枢動可能に取り付けられ、前記本体はばね力に抗して垂直軸（１４）を中心に枢動可能に背支持部（３．１）に取り付けられることを特徴とする請求項３１の座席家具。
【請求項３３】
二つの支持部（４）は、共通の水平ピボット軸に沿って相互に異なる間隔で固定可能であること特徴とする請求項２０から２９のいずれか１項に記載の背もたれ。
【発明の詳細な説明】
【技術分野】
【０００１】
本発明は、相互に横方向に並置されかつ弾性的に支持される二つの背支持部を有し、その各々が分離した担持部に連結される腰掛（ｓｔｏｏｌ）または椅子の背もたれに関する。
【背景技術】
【０００２】
ＤＥ９０  ０６  ３１６  Ｕ１に開示される背もたれでは、各背支持部は分離した担持部に設けられる。担持部はV字型になるように相互に位置決めされ、担持部の下端は椅子のフレーム上の座席後部に取り付けられる。背支持部は二つの担持部の弾性の結果として着座者の異なる座位に合うようにある程度の可動性を備えているが、この構造では体格が大きく異なる個々の人や長時間に亘って座位を変えながら着座する人の背骨を楽にすることはできないことが判明した。
【発明の開示】
【発明が解決しようとする課題】
【０００３】
本発明の目的は、異なる座位の着座者が背中または背骨の領域で最適に支持されるように座席または椅子の背もたれを設計することにある。
【課題を解決するための手段】
【０００４】
この課題を解決するために、請求項１では、各担持部が実質的Ｌ字形の支持部材の第一脚部を形成し、各支持部材の第二脚部は腰掛または椅子の座席の下で水平軸を中心としてばね力に対して枢動可能である。斯くして、各背支持部はその支持機能を失うことなく、着座者の種々の動きまたは座位置に応じて最適に確実に背中の動きに追従する。
【０００５】
着座者の横方向の動きあるいは横方向かつ後方向への動きに対しても、着座者を最適に支持し得るようにするために、別の発明によれば、支持部材は休止位置において支持部材に対して実質的に垂直に配向されたガイドバーにより相互に連結され、一方の背支持部が前または後ろに動くと他方の背支持部が各々逆の方向に動くようにガイドバーが座席下部構造体上又は内に支持される。ここで、二つの背支持部間での「ジャンプ」を防止するため、背支持部は、好ましくは、実質的均一で連続的な背もたれになるように弾性的に支持部材に連結される。
【０００６】
ガイドバーは好ましくは両端で支持部材に枢着され、更に支持部材の枢支点間で椅子または椅子下部構造体上に枢支される。
【０００７】
本発明の別の好ましい実施例は、従属項に開示される。
【発明を実施するための最良の形態】
【０００８】
本発明を、添付図面を参照して以下に開示する。
【０００９】
図７は、キャスターを備えた五つ星形基部１．１、五つ星形基部上に支持された支柱１、座席１００、および相互に間隔を開けて並置され、かつそれぞれが実質的に垂直に配置された担持部４．１と実質的水平に配置された担持部４．２とから構成されるＬ字形の支持部材４に連結される二つの背支持部３．１を有する背もたれ３からなる椅子の斜視図を示す。各背支持部３．１は、異なる高さ位置に調節し得るように、相関づけられた担持部４．１に沿って調節可能である固定部材７に取り付けられる。各固定部材７はゴム要素から構成されるので、個々の背支持部は担持部４．１に対して可動である。担持部４．１は、弾性硬度を有する弾性変形可能な横方向ステー９により相互に連結され、弾性硬度は個々の背支持部の他の背支持部に対する動きの自由度が限定的に保たれるように設計される。
【００１０】
図１から３において、担持部４．２は支持ユニット２により水平ピボット軸５を中心として枢支される。支持部材４の担持部４．２は二部構成レバーとして具現化されている。ここで、実質的垂直方向のばね部材６は当前記レバーの自由端４．３に作用し、この場合に支持部材に作用するばね部材の力は可変である。ばね部材６は引張ばね、空気圧または液圧ばね等でよい。
【００１１】
明らかなように、担持部４．１の領域に設けられた留め穴８により、固定部材７が担持部４．１に高さ調節可能に取り付けられる。
図２において、背支持部３．１は、略中央で、弾性変形可能な横方向ステー３．２により連結される。このステーの強さは、背支持部３．１が個別支持部としての機能を維持するように設計され、かつ一方の背支持部の他方の背支持部に対する自由な可動性は限定的範囲で維持される。
【００１２】
図３によれば、二つの背支持部３．１の各々は、別的に弾性であるようにそれぞれの支持部材４の担持部４．１に取り付けられる。背もたれの実施形態において、固定部材７は、担持部４．１の上端が固定部材７を超えて上方向に突出するように設計される。担持部４．１の自由端は、弾性変形可能な横方向ステー９によって、相互に連結される。
【００１３】
図６には水平軸を中心として枢動可能な支持部材の変形実施例が示される。支持ユニット２の上または内に、反対方向のねじ山を有する水平シャフト２０が設けられ、その上には、支持部材４の第二脚部４．２が枢支される。各脚部４．２はニアーム・レバーとして具体的に示され、そのレバー自由端４．４は上方に曲折し、これに実質的水平方向の引張ばね２２が取り付けられる。支持部材に作用する力を変えるために、引張ばね２２の端は、水平軸に対して間隔を調節可能な調節部材２３に取り付けられる。調節部材は、例えば、ローレット付きの回転つまみ２６により回転可能なねじピン２５と係合するナット２４を有する。各脚部４．２は、シャフト２０上の軸受け場所の領域でねじ山つきブッシング２７を支持し、そのようにして、シャフト２０の二つのねじ山部の結果としてシャフト２０が回転すると、二つの脚部４．２は相互に横方向に調節され、図１および３の背支持部３．１間の間隔が調節可能となる。
【００１４】
図８および９には、支柱１の上端に取り付けられる座枠３８の詳細が示される。支柱１上には、二つの支持部材４が担持部４．２の自由端の領域において、図解的に描かれたピボット軸３９を中心として枢動可能に取り付けられる。実質的箱形の座席下部構造体４０は、座枠３８に対して前後移動可能に、例えば長穴４２内に案内されるねじ４１により座枠３８の上に締結される。
【００１５】
本構造物の発明の原理を図９の図解的説明図を用いて以下に説明する。
【００１６】
本発明の基本構想は、実質的に、椅子（腰掛）の着座者が座位を変更するとき、一方の背支持部が例えば後方に動くと、他方の背支持部が前方に強制的に動かされるように二つの背支持部３．１を相互に結合したことにある。腰掛または椅子の使用者が横方向にもたれて、一方の背支持部３．１（図９において右側のもの）に対して、他方の背支持部３．１よりも、より強く寄りかかりまたはより強く押したとき、支持部材４の背支持部の弾性サスペンションにより、二つの背支持部３．１が、実質的均一で連続的な背もたれ位置になる。二つの背支持部３．１が反対方向に動くような強制的な結合は、休止位置において支持部材４に対して実質的垂直に配向されるガイドバー４３によりなされる。ガイドバーは座席下部構造体４０内または上に支持され、一方の背支持部３．１の後方への動きに伴い、他方の背支持部が反対の方向、つまり、前方に動くように支持部４．２に連結される。図９では、ガイドバー４３の中央位置からの偏向角度は、作用原理を説明するため誇張して図示されている。実際には、偏向角度は極めて小さく、回動時にガイドバー４３の両端は動きが殆どなく１０分の１ミリメーターの範囲程度であり、構造物の許容誤差で補償される。
【００１７】
ガイドバー４３の両端は、例えば図８ｂに図解的に示される好ましくは弾性変形可能なスリーブ４４．１に支持される玉継ぎ手４４により、対応する担持部４．２に連結される。ガイドバー４３は、また、好ましくは、図９ａに図示される玉継ぎ手４５を介して、担持部４．２との連結点の中間で座席下部構造体５０の長手方向支持体４０．２内または上に枢支される。
【００１８】
担持部４．２は、無負荷休止位置にある二つの背支持部３．１が座席下部構造体４０から同じ間隔を有し、かつガイドバー４３が休止位置ないし中間位置にあるように、座席下部構造体４０上に配置されるコイルばね４６により支持される。
【００１９】
図８によれば、担持部４．２はガイドバー４３を枢着する上方へ向う突起４７を有する。圧力板４８は突起４７に隣接し、突起４７は箱形の座席下部構造体４０のフレーム４０．１を貫通するプランジャー４９により座席下部構造体４０内のピボット軸３９に垂直に配置されるコイルばね４６に支持される。コイルばね４６はばねの長手方向にスライド可能なブロック５０に支持され、ブロック５０はばね４６の予備張力をカム５２の回転によって変えるためにハンドル５３により回転可能なカムシャフト５１のカム５２に係止される。
【００２０】
ガイドバー４３は座席下部構造体４０のフレーム４０．１内で弧状ガイド溝５４内に案内され、弧状ガイド溝の仮想軸は支持部材４のピボット軸３９と平行であり、かつ椅子の前部に対して上部から底部そして後部に向けて湾曲している。
【００２１】
担持部４．２が後方に枢動した場合に担持部はまた下方にも枢動し、かつ他方の支持部４．２は逆方向の動きで枢動するように、ガイド溝５４は玉継ぎ手４５の領域でガイドバー４３の枢動または傾動を可能にする。
【００２２】
図８は、二つの背支持部３．１に負荷がないかまたは均一に負荷がかかるときの実質的に相互に平行である中央位置における二つの担持部４．２の位置を示す。
【００２３】
使用者が二つの背支持部３．１に均一に負荷をかけて後方にもたれたとき、ガイドバー４３は後方の動きに追従し、長手方向支持体４０．２内または上のガイドバー４３の枢支運動の結果として、座席下部構造体４０全体が、一方で後方に引かれ、かつ他方で同時にその後部が下方に枢動または下降する。これはＤＥ  ２９９  ０８  ５９９  Ｕ１に開示される同期機構による部分的座席支持動作に従って行われるが、この構造は既知であり、本発明の目的ではない。このような同期機構は、背もたれを前後に枢動する際、所定の角度比率で座部を枢動させるのに役立つ。
【００２４】
座席下部構造体４０の後方への運動は、座枠３８の一部を形成する固定支持プレート６１と、座席下部構造体４０の可動部である支持面との間に支持される圧力ばね６０の力に対してなされる。
【００２５】
図４および５は、背支持部３．１を固定部材７に対して水平軸並びに垂直軸を中心に枢軸運動可能にするために、固定部材７が背支持部に対しどのように取り付けられるかを示す。上下方向に開放する箱形の本体１０には、固定部材７に対面する端に二つの壁部１０．１が間隔をおいて設けられ、二つの壁部１０．１は、対向する軸受穴１０．１１を有しかつ好ましくは三角形である。固定部材７には水平に配向した軸受ブッシュ１１が、軸受穴１０．１１と一直線の軸受ブッシュ１１に軸ピンを通過させた後に本体１０が固定部材７に枢着されるように取り付けられる。図５によれば、本体１０と固定部材７との隙間に、軸受ブッシュ１１の形状に適合する凹部１４．１を有するラバーストッパ１４が設けられる。ラバーストッパの弾性硬度は、軸ピン１２により形成される水平軸２を中心とする本体１０の制御された枢動が可能であるように設計される。
【００２６】
本体１０の固定部材７に対面していない側には、壁部１０．２によって上下が画成される空間が設けられる。壁部１０．２は軸受穴１０．２１を有する。各背支持部３．１の背部にねじ止め可能な締結部材１３は、半径外方に突出するパーティション１３．２を支持する垂直配向の軸受ブッシュ１３．１を有する。軸受ブッシュ１３．１を軸受穴１０．２１と一直線にするときに、軸ピン１４．２を軸受穴１０．２１および軸受ブッシュ１３．１へ通過させ、そのようにして、本体１０を締結部材１３に対し垂直軸を中心に枢動可能なように取り付けることができる。パーティション１３．２は、スリーブ状の本体１０内で、ばね部材１５、好ましくは円筒状ラバーストッパのための二つの収容空間を画成する。ばね部材の寸法および弾性硬度は、軸ピン１１により形成される所定の垂直軸を中心とする締結部材１３と本体との間の相対的移動が制限されるように選択される。
【図面の簡単な説明】
【００２７】
【図１】必要な場合にのみ示している椅子または腰掛の柱部に締結された背もたれの図。
【図２】背もたれの別の実施例の図。
【図３】背もたれの別の実施例の図。
【図４】担持部への背もたれの取り付け構造を示す実施例の図。
【図５】図４の実施例の分解図。
【図６】椅子または腰掛の柱部へ、背もたれの支持部材を取り付ける構造の実施例の図。
【図７】椅子の斜視図。
【図８】背支持部用の支持部材が枢着された座枠が取り付けられた椅子の支柱の詳細斜視図。
【図９】座枠に連結される座席下部構造体の平面斜視図。
【図１０】本発明の原理を示す座席下部構造体に対する背もたれ構造の部分概略図。
【図１】
2009540970.tif 000003
【図２】
2009540970.tif 000004
【図３】
2009540970.tif 000005
【図４】
2009540970.tif 000006
【図５】
2009540970.tif 000007
【図６】
2009540970.tif 000008
【図７】
2009540970.tif 000009
【図８】
2009540970.tif 000010
【図９】
2009540970.tif 000011
【図１０】
2009540970.tif 000012
【国際調査報告】
2009540970.tif 000013
2009540970.tif 000014
2009540970.tif 000015
2009540970.tif 000016
2009540970.tif 000017
2009540970.tif 000018